(57)【特許請求の範囲】
【請求項１】
消費財のための容器であって、前記容器が、
前部ハウジング壁、後部ハウジング壁、２つの側面ハウジング壁、底面ハウジング壁、およびハウジング開口部を含むハウジングと、
消費財用の内側束であって、前記内側束が前記ハウジング内に配置され、前記内側束が内側束開口部を含み、前記ハウジング開口部が前記内側束開口部の少なくとも一部の上にあるものと、
前記内側束開口部を覆うカバーパネルおよびラベルフラップを含むラベルであって、前記ラベルフラップが前記カバーパネルから折り目を介して垂れ下がり、前記カバーパネルの少なくとも部分の上にあるものとを備え、
前記前部ハウジング壁は前記ラベル折り目の上にあり、前記ラベルフラップの一部分が、前記折り目の遠位にある前記ラベルフラップの遠位端がハウジング開口部の下にあるように、前記前部ハウジング壁の上縁端を越えて延び、また前記内側束は前記ラベル折り目の下にあり、また前記ラベルカバーパネルの端は前記内側束開口部の端を越えて延びて前記ラベルカバーパネルの端部分を画定し、前記容器がさらに、前記ラベルが閉位置に保持されるように前記端部分を前記内側束に剥がせるように固定するための、前記ラベルカバーパネルの端部分にある非永久接着剤を含む、容器。
【請求項２】
前記前部ハウジング壁の上縁端と前記ラベルフラップの遠位端との間のラベルフラップ部分の縦の長さが２ミリメートル〜３０ミリメートルである、請求項１に記載の容器。
【請求項３】
請求項１または２に記載の容器であって、前記ハウジングが：
前記内側束の周りに折り畳まれて少なくとも第１の前方パネルを形成する第１のシート材料と、
前記第１のシート材料および前記内側束の周りに折り畳まれて、第２の前方パネル、２つの第２の側面パネル、底部パネルおよび後部パネルを形成する第２のシート材料とを備え、
前記第１の前方パネルおよび前記第２の前方パネルがそれぞれ、前記前部ハウジング壁の部分を形成し、前記２つの第２の側面パネルが前記側面ハウジング壁を形成し、前記底部パネルが前記底面ハウジング壁を形成し、前記後部パネルが後部ハウジング壁を形成し、また前記第１および第２の前方パネルのうち少なくとも１つが前記ラベル折り目の上にある、容器。
【請求項４】
前記ラベルフラップが非粘着性である、請求項１〜３のいずれか１項に記載の容器。
【請求項５】
前記内側束内に含まれる１つ以上の消費財をさらに含む、請求項１〜４のいずれか１項に記載の容器。
【請求項６】
前記１つ以上の消費財が複数の喫煙物品である、請求項５に記載の容器。
【請求項７】
消費財のための容器を製造する方法であって、前記方法が、
消費財を受けるための内側束を提供する工程であって、前記内側束が内側束開口部を含むものと、
シート材料から形成されるラベルを提供し、前記ラベルを前記内側束に貼り付ける工程と、
前記ラベルが前記内側束開口部を覆うカバーパネルとラベルフラップを含むように前記ラベルを折り畳む工程であって、ここで前記ラベルフラップが前記カバーパネルから折り目を介して垂れ下がり、また前記ラベルフラップが前記カバーパネルの少なくとも部分の上にあり、また前記ラベルカバーパネルの端が前記内側束開口部の端を越えて延びて前記ラベルカバーパネルの端部分を画定し、またラベルが閉位置に保持されるように前記端部分を前記内側束に剥がせるように固定するために、非永久接着剤が前記ラベルカバーパネルの端部分に提供される工程と、
シート材料を前記内側束の周りに折り畳み、その中に前記内側束が配置されるハウジングを形成する工程であって、前記ハウジングが前部ハウジング壁、後部ハウジング壁、２つの側面ハウジング壁、底面ハウジング壁およびハウジング開口部を含み、前記ハウジング開口部が前記内側束開口部の少なくとも一部の上にあり、前記前部ハウジング壁が前記ラベル折り目の上にあり、また前記内側束が前記ラベル折り目の下にある工程とを含み、
前記シート材料を内側束の周りに折り畳むこの工程が、前記折り目の遠位にある前記ラベルフラップの遠位端がハウジング開口部の下にあるように、前記前部ハウジング壁の上縁端を越えて延びる前記ラベルフラップの一部を画定する、方法。
【請求項８】
前記前部ハウジング壁の上縁端と前記ラベルフラップの遠位端との間の前記ラベルフラップ部分の縦の長さが２ミリメートル〜３０ミリメートルである、請求項７に記載の方法。
【請求項９】
請求項７または８に記載の方法であって、シート材料を前記内側束の周りに折り畳んでハウジングを形成する前記工程が、
第１のシート材料を前記内側束の周りに折り畳んで、少なくとも第１の前方パネルを形成する工程と、
第２のシート材料を前記第１のシート材料および前記内側束の周りに折り畳んで、第２の前方パネル、２つの第２の側面パネル、底部パネルおよび後部パネルを形成する工程とを含み、
前記第１の前方パネルおよび前記第２の前方パネルがそれぞれ、前記前部ハウジング壁の部分を形成し、前記２つの第２の側面パネルが前記側面ハウジング壁を形成し、前記底部パネルが前記底面ハウジング壁を形成し、前記後部パネルが後部ハウジング壁を形成し、また前記第１および第２の前方パネルのうち少なくとも１つが前記ラベル折り目の上にある、方法。
【請求項１０】
前記ラベルフラップが非粘着性である、請求項７〜９のいずれか１項に記載の方法。
【請求項１１】
内側束を提供する前記工程が、シート材料を１つ以上の消費財の周りに折り畳んで内側束を形成する工程であって、前記１つ以上の消費財が前記内側束内に含まれるようにする工程を含む、請求項７〜１０のいずれか１項に記載の方法。
【請求項１２】
前記１つ以上の消費財が複数の喫煙物品である、請求項１１に記載の方法。
【発明の詳細な説明】
【技術分野】
【０００１】
本発明は消費財用の容器に関連し、容器は内側束内の開口部を覆う折り畳みラベルを含む。本発明はまた、容器を形成する方法に関連する。本発明の容器には、例えば紙巻たばこなど、喫煙物品用の容器としての特定の用途がある。
【背景技術】
【０００２】
喫煙物品などの消費財は一般に、ボックス部分と、容器の後部壁を横切って延びるヒンジ線の周りにボックスに結合されたリッドとを持つヒンジリッド型容器（いわゆるＦｌｉｐ−Ｔｏｐ（登録商標）ボックス）などの、剛直な箱型容器内にパッケージされる。一部の場合に、容器はさらに、消費財の少なくとも一部分の周りに巻かれた内側フレームを含む。これは、容器に対してさらなる剛直性を提供し、かつ消費財を保護しうる。内側フレームがボックス部分の上縁端上に延びる場合、内側フレームはまたそれに対してリッドを閉じることができるような表面を提供する。
【０００３】
消費財はボックス部分およびリッドの内側に収納された内側束内に包含されうる。実際、一般に、紙巻たばこパックについては、内側束は紙巻たばこの装填の周りに内側ライナーを折り畳むことにより製造される。内側束は、それを通して消費財を取り除くことができる開口部と、その開口部を覆うラベルを備えうる。内側束を開封するにあたり消費者を支援するために、ラベルは、内側束に接着せず、消費者が掴む部分を提供する非粘着性の部分を含んでもよい。ところが、ラベルは平坦なシート材料から形成されるため、なおも消費者にとってラベルの非粘着性の部分を内側束の表面から分離するのが困難なことがある。
【０００４】
一部の従来技術の容器では、ラベルの非粘着性の部分を０度〜１８０度の任意の角度で内側束から離して折り畳むことにより、この問題を克服しようと試みている。ところが、これによって消費者にとっての問題は解決するかもしれないが、容器の製造時に問題が発生する。特に、いったん折り畳む力が除去されると、ラベルの折り畳まれた部分が、折り畳まれていない位置と折り畳まれた位置の間のどこかの位置に戻ることがある。従って、非粘着性の部分は、内側束から外側に向かって延びることになり、製造プロセスのさらに下流で損傷を受けたり、プロセスの工程間の運搬中に機械部品に引っ掛かったりすることがあり、潜在的に故障や機械のダウンタイムにつながる。
【０００５】
従って、その容器の製造が容易であり、かつ消費者にとって開封が容易な内側束を有する、消費財用の容器を提供することが望ましい。
【発明の概要】
【０００６】
本発明は消費財用の容器を提供し、その容器は前部ハウジング壁、後部ハウジング壁、２つの側面ハウジング壁、底面ハウジング壁、およびハウジング開口部を含むハウジングを備える。容器はさらに、消費財を受け、ハウジング内に配置されている内側束を備え、内側束は内側束開口部を含む。容器はまた、内側束開口部を覆うカバーパネルとラベルフラップを含むラベルを備え、ラベルフラップはカバーパネルから折り目を介して垂れ下がり、カバーパネルの少なくとも部分の上にある。前部ハウジング壁はラベル折り目の上にあり、内側束はラベル折り目の下にある。すなわち、折り目は前部ハウジング壁と内側束の間に位置する。ラベルカバーパネルの端は内側束開口部の端を越えて延びてラベルカバーパネルの端部分を画定する。容器はさらに、ラベルが閉位置に保持されるように、端部分を内側束に剥がせるように固定するための、ラベルカバーパネルの端部分にある非永久接着剤を含む。
【０００７】
本発明による容器の構成要素の相対的位置を説明するために使用される「前部」「後部」「上部」「底部」「側面」「左」「右」という用語およびその他の用語は、消費財が取り出される開口部が上部端にある、直立位置にある容器について言及するものである。容器がリッドを含む実施形態では、リッドは容器の後部を横切って延びるヒンジ線の周りを移動可能である。
【０００８】
「長軸方向」という用語は底部から上部またはその反対の方向を意味する。「横断する」という用語は、長軸方向と直角を成す方向を意味する。
【０００９】
「パネル」という用語は、材料の単一の連続した部分から形成される容器の一部分を意味する。「壁」という用語はより通常的には、組み立てられた容器の面を意味し、例えばハウジングの「前部壁」は容器の前部の面を画定する。壁は単一のパネルから形成することも、２つ以上の隣接するまたは重なり合うパネルから形成することもできる。
【００１０】
「非永久接着剤」という用語は本明細書では、結合後、両方の材料にほとんどまたは全く損傷なしに２つの材料が簡単に分離できるように２つの材料間の結合を提供する接着剤を意味するために使用される。非永久接着剤は一般に、毎回の結合前にさらなる接着剤を塗布する必要なしに、２つの材料が繰り返し結合・分離されるように粘着性を維持する。対照的に、「永久接着剤」は２つの材料間の永久的な結合を提供する。すなわち、結合後、過度の力を適用することなしには２つの材料を分離することはできず、これによって一方または両方の材料が損傷を負いうる。
【００１１】
本発明による容器は、内側束のラベルを含み、ラベルは、ラベルにより形成されるカバーパネルの少なくとも一部の上にあるラベルフラップを形成するように折り畳まれた部分を含む。有利なことに、ラベルフラップは消費者にとって掴むのが容易であり、従って内側束の開封を促進するラベルの一部分を提供する。その上、ラベル折り目を前部ハウジング壁と内側束の間に配置することにより、ラベルフラップは、ラベルフラップが実質的にカバーパネルと平行な位置になるように、折り畳まれた位置に保持される。すなわち、ラベルフラップはカバーパネルに対して約１８０度の角度まで折り畳まれる。これによって、内側束から外側に向かってのラベルフラップの延びが阻止され、従って、ラベルフラップがその後の製造プロセス中に損傷を受けるリスクが最小化される。
【００１２】
本発明による容器はまた、ラベルカバーパネルの端部分にある非永久接着剤を備えるが、これは有利なことにラベルを閉位置に保ちつつ、繰り返しのラベル開閉をも許容する。
【００１３】
ハウジング開口部および内側束開口部はどちらも１つ以上の消費財を内側束から開口部を通して除去しうるような大きさである。ハウジング開口部は、内側束開口部の少なくとも部分、好ましくは内側束開口部全体の上にある。内側束開口部はハウジング開口部よりも大きいかまたはハウジング開口部と同じサイズとしうるが、内側束開口部はハウジング開口部よりも小さいことが好ましい。ハウジング開口部よりも小さな内側束開口部を利用することで、ラベルを少なくとも１つの寸法においてハウジング開口部よりも小さくすることができる。これにより、内側束をハウジングから取り外す必要なしに、内側束を開くためのカバーパネルの持ち上げが有利なことに促進される。
【００１４】
ラベルフラップの一部分は、折り目から遠位にあるラベルフラップの遠位端がハウジング開口部の下になるように、前部ハウジング壁の上縁端を越えて延びることが好ましい。これにより、内側ライニングをハウジングから取り外すまたは部分的に取り外すことなく、消費者によるラベルフラップの掴みが促進される一方、なおもハウジングと内側束の間の折り目が保持される。前部ハウジング壁上縁端とラベルフラップ遠位端との間のラベルフラップ部分の縦の長さは、約２ミリメートル〜約３０ミリメートルが好ましく、約５ミリメートル〜約１５ミリメートルがより好ましい。縦の長さは、ラベルフラップの縦方向の最も長い範囲を意味する。
【００１５】
内側束は、容器の製造中に消費財の周りに折り畳まれるシート材料、いわゆる「内側ライナー」を備えうる。内側束の内側ライナーは、例えば水分または風味の進入または喪失に対してバリアを提供するために、消費財の周りにシール可能であることが好ましい。内側ライナーは内側ライナー内で内側束カバーパネルを画定する虚弱線を含むことが好ましい。内側束が初めて開封されると、内側束カバーパネルを持ち上げて消費財を内側束から取り外すことができるように、内側ライナーは虚弱線に沿って破損される。この場合には、虚弱線は内側束開口部の周辺部を画定し、閉じた時に内側束カバーパネルは内部ライニング開口部を覆う。虚弱線は横罫線、縦罫線または穿孔線のどれか１つまたはその組み合わせであることが好ましい。一部の実施形態では、虚弱線は内側ライナーのどちらの側の横罫線または縦罫線で形成されてもよい。さらに、内側ライナーのどちらかの側のこれらの横罫線または縦罫線は、空間的に一致してもよく、一定の距離、例えば約０．１ｍｍ〜約３ｍｍだけ相互にずれてもよい。内側束開口部は内側ライナーの内側に配置されてもよく、すなわち、内側束開口部は、内側ライナーが消費財の周りで折り畳まれる前に内側ライナーによって４つすべての側面と接してもよい。別の方法として、開口部は内側ライナーの一端に配置されてもよく、すなわち内側束開口部は、内側ライナーが消費財の周りに折り畳まれる前に内側ライナーによって３つの側面で接してもよく、内側束開口部の４つ目の端は内側ライナーの１つの端から構成される。なおさらなる実施形態において、内側ライナーが消費財の周りに折り畳まれた時に開口部が内側束内に形成され、内側ライナー内の２つの部分が共に内側束開口部を形成するように、内側束開口部の第１の部品は内側ライナーの第１の端に配置されてもよく、また内側束開口部の第２の部品は内側ライナーの第２の端に配置されてもよい。内側ライナーのこれら２つの部分は、相互に付着、例えば接着またはシールされることが好ましい。
【００１６】
内側束が内側束カバーパネルを含む実施形態では、ラベルカバーパネルの１つの領域が、永久接着剤を使用して内側束カバーパネルの一部分に貼り付けられることが好ましい。ラベルカバーパネルの一部分を内側束カバーパネルに永久接着剤で貼り付けることによって、消費者はラベルフラップのみを掴んで持ち上げることにより、ラベルカバーパネルと内側束カバーパネルの両方を持ち上げることができる。
【００１７】
ラベルフラップが容器の他の部分に付着するのを防止するために、ラベルフラップは非粘着性であることが好ましい。すなわち、ラベルフラップには非永久接着剤などの粘着性接着剤が使用されないことが好ましい。
【００１８】
一部の実施形態で、ハウジングはさらに、内側束の周りに折り畳まれて少なくとも第１の前方パネルを形成する第１のシート材料と、第１のシート材料および内側束の周りに折り畳まれて第２の前方パネルを形成する第２のシート材料と、２つの第２の側面パネルと、底部パネルと、後部パネルとを備えうる。第１の前方パネルおよび第２の前方パネルはそれぞれ前部ハウジング壁の部分を形成し、第１および第２の前方パネルのうち少なくとも１つはラベル折り目の上にある。第１のシート材料はまた、内側束の周りに２つの側面パネルを形成することが好ましい。
【００１９】
例えば、一部の実施形態では、容器はヒンジリッド型容器でもよく、ここで第１のシート材料は折り畳まれて内側フレームを形成し、第２のシート材料は折り畳まれてボックス部分とリッド部分を形成する。内側フレームおよびボックス部分はそれぞれ、連携してハウジングの前部壁を形成する前方パネルを備え、ここでボックス部分の前方パネルは、内側フレームの前方パネルの少なくとも一部分の上にある。リッド部分はまた、リッド前部壁を形成する１つ以上のリッド前方パネルを含む。ラベル折り目は、内側フレーム前方パネル、ボックス部分前方パネル、または両方の下にある。
【００２０】
ハウジング前部壁の上縁端は、ボックス部分前方パネル上縁端、内側フレーム前方パネルの上縁端、または両方により形成することができる。内側フレームの前方パネルは、ハウジング前部壁の上縁端が内側フレーム前方パネルの上縁端により画定されるように、ボックス部分前方パネルの上に延びることが好ましい。この配置で、内側フレームの前方パネルは、リッド部分が閉位置にある時に、リッド部分前部壁およびボックス部分前部壁が実質的に同一の平面にあり、容器の前部壁の外側表面を画定するように、リッド部分前部壁がそれに対して閉じることのできる表面を有利なことに提供する。
【００２１】
ハウジング開口部は、第１の折り畳まれたシート材料、第２の折り畳まれたシート材料、または両方によって画定されることができる。容器がヒンジリッド型のボックスであり、第１の折り畳まれたシート材料が、第２の折り畳まれたシート材料により形成されるボックス部分の上縁端の上に延びる内側フレームを形成する実施形態では、ハウジング開口部の端は内側フレームの部分によって画定されることが好ましい。
【００２２】
消費財は、本発明による容器が内側束内に含まれた１つ以上の消費財を備えうるように、製造時に容器内に含まれうる。１つ以上の消費財は複数の紙巻たばこなど、複数の喫煙物品でもよい。
【００２３】
容器は、消費財を収容するために任意の適切な形態をとりうる。例えば、上述の通り、容器は消費財を収容するボックスに連結された１つ以上のヒンジリッドを持つ、ヒンジリッド型容器としうる。別の方法として、容器は、外側シェル内に取り付けられた消費財を収容するための内側スライドを持つ、スライド・アンド・シェル容器としうる。容器がスライド・アンド・シェル容器である場合、外側シェルまたは内側スライドは１つ以上のヒンジリッドを含みうる。
【００２４】
ハウジングおよび内側束は厚紙、ボール紙、プラスチック、金属、またはその組み合わせを含むがこれに限定されない、任意の適切な材料から形成しうる。ハウジングは１つ以上の折り畳まれた層状の厚紙ブランクから形成しうることが好ましい。厚紙の重さは、約１００グラム／平方メートル〜約３５０グラム／平方メートルであることが好ましい。
【００２５】
内側束は金属箔、金属化紙または金属化高分子フィルムで形成されることが好ましい。
【００２６】
本発明による容器は、長軸方向の直角の端および横断する直角の端を持つ直方体の形状としうる。別の方法として、容器は、１つ以上の長軸方向の丸み付きの端、横断する丸み付きの端、長軸方向の面取り付きの端または横断する面取り付きの端、またはその組み合わせを含みうる。例えば、ハウジングは限定されないが以下を含みうる。
【００２７】
−前部壁の１つまたは２つの長軸方向の丸み付きの端または面取り付きの端、および／または後部壁の１つまたは２つの長軸方向の丸み付きの端または面取り付きの端。
【００２８】
−前部壁の１つまたは２つの横断する丸み付きの端または面取り付きの端、および／または後部壁の１つまたは２つの横断する丸み付きの端または面取り付きの端。
【００２９】
−前部壁の１つの長軸方向の丸み付きの端および１つの長軸方向の面取り付きの端、および／または後部壁の１つの横断する方向の丸み付きの端および１つの横断する方向の面取り付きの端。
【００３０】
−前部壁の１つまたは２つの横断する丸み付きの端または面取り付きの端、および後部壁の１つまたは２つの長軸方向の丸み付きの端または面取り付きの端。
【００３１】
−第一の側壁の２つの長軸方向の丸み付きまたは面取り付きの端、または第二の側壁の２つの横断する方向の丸み付きまたは面取り付きの端。
【００３２】
ハウジングが１つ以上の丸み付きの端を含み、１つ以上の層状のブランクから製作されている場合、ブランクは、組み立てられたハウジング内でそれぞれの丸み付きの端を形成する３、４、５、６または７本の横罫線または縦罫線を含むことが好ましい。横罫線または縦罫線はハウジングの内側、またはハウジングの外側のいずれかとしうる。横罫線または縦罫線は互いに約０．３ｍｍ〜約４ｍｍの間隔を持つことが好ましい。
【００３３】
縦罫線または横罫線の間隔は、層状のブランクの厚みの関数であることが好ましい。縦罫線または横罫線の間隔は、層状のブランクの厚みの約０．５〜約４倍であることが好ましい。
【００３４】
ハウジングが１つ以上の面取り付きの端を含む場合、それぞれの面取り付きの端の幅は約１ｍｍ〜約１０ｍｍであることが好ましく、約２ｍｍ〜約６ｍｍであることが好ましい。別の方法として、ハウジングは、２つの明確な面取りがハウジングの端上に形成されるように間隔を置いた、３本の平行な縦罫線または横罫線により形成された二重面取りを含みうる。
【００３５】
ハウジングが面取り付きの端を含み、１つ以上の層状のブランクから製作されている場合、面取りは層状のブランクにある２本の平行な縦罫線または横罫線により形成されうる。縦罫線または横罫線は、第一の壁と第二の壁の間のエッジに対して対称的に配置しうる。別の方法として、縦罫線または横罫線は、面取りがハウジングの第二の壁内よりもハウジングの第一の壁内に深く達するように、第一の壁と第二の壁の間の端に対して非対称的に配置しうる。
【００３６】
別の方法として、容器は、例えば、多角形（三角形または六角形など）、または楕円形、半楕円形、円形または半円形といった、非長方形の横断断面を持ちうる。
【００３７】
本発明による容器は、例えば、紙巻たばこ、葉巻たばこまたはシガリロなど、細長い喫煙物品用のパックとしての特定用途がある。当然のことながら、その寸法を適切に選択することにより、本発明による容器は、異なる数の従来サイズ、キングサイズ、スーパーキングサイズ、スリムまたはスーパースリムの紙巻たばこ用に設計しうる。
【００３８】
その寸法の適切な選択によって、本発明による容器は、異なる合計数の喫煙物品、または異なる配置の喫煙物品を保持するよう設計しうる。例えば、その寸法の適切な選択によって、本発明による容器は、合計１０〜３０の喫煙物品を保持するよう設計しうる。
【００３９】
容器内の喫煙物品は、喫煙物品の合計数に応じて、異なる並べ方で配置しうる。例えば、喫煙物品は、６、７、８、９または１０個の１列で配置しうる。別の方法として、喫煙物品は２列以上で配置しうる。２列以上の列は、同一の数の喫煙物品を含みうる。例えば、喫煙物品は、５、６、７、８、９もしくは１０個の２列、５もしくは７個の３列、または４、５もしくは６個の４列で配置しうる。別の方法として、２列以上の列は、互いに異なる数の喫煙物品を含む少なくとも２列を含みうる。例えば、喫煙物品は、５個の１列および６個の１列（５−６）、６個の１列および７個の１列（６−７）、７個の１列および８個の１列（７−８）、５個の中央の１列および６個の両外側の２列（６−５−６）、５個の中央の１列および７個の両外側の２列（７−５−７）、６個の中央の１列および５個の両外側の２列（５−６−５）、６個の中央の１列および７個の両外側の２列（７−６−７）、７個の中央の１列および６個の両外側の２列（６−７−６）、９個の中央の１列および８個の両外側の２列（８−９−８）、または６個の中央の１列、５個の一方の外側の１列および７個の一方の外側の１列（５−６−７）で配置しうる。
【００４０】
本発明による容器は、同一のタイプまたはブランドの、または異なるタイプまたはブランドの喫煙物品を保持しうる。さらに、フィルターなし喫煙物品および各種フィルターチップ付きの喫煙物品の両方を含みうるほか、異なる長さ（例えば、約４０ｍｍ〜約１８０ｍｍ）、直径（例えば、約４ｍｍ〜約９ｍｍ）の喫煙物品も含みうる。さらに、喫煙物品は、味覚の強度、引き出し抵抗および合計粒子状物質の送達が異なりうる。容器の寸法は、喫煙物品の長さ、および喫煙物品の並べ方に適合させることが好ましい。容器の外側寸法は通常、容器内に収容された喫煙物品の束の寸法よりも約０．５ｍｍ〜約５ｍｍだけ大きい。
【００４１】
本発明による容器の長さ、幅および奥行きは、閉位置での容器の結果的な全体的寸法が、２０本の紙巻たばこの典型的な使い捨てヒンジ−リッドパックの寸法と類似するような寸法としうる。
【００４２】
本発明による容器の高さは約６０ｍｍ〜約１５０ｍｍであることが好ましく、高さが約７０ｍｍ〜約１２５ｍｍであることがより好ましいが、ここで高さは容器の外側で、上部壁から底部ハウジング壁までを測定したものである。
【００４３】
本発明による容器の幅は約１２ｍｍ〜約１５０ｍｍであることが好ましく、幅が約７０ｍｍ〜約１２５ｍｍであることがより好ましいが、ここで幅は容器の外側、ハウジングの一方の側壁からハウジングの他方の側壁までを測定したものである。
【００４４】
本発明による容器の奥行きは約６ｍｍ〜約１００ｍｍであることが好ましく、奥行きが約１２ｍｍ〜約２５ｍｍであることがより好ましいが、ここで奥行きは容器の外側で、ハウジングの前方壁からハウジングの後方壁までを測定したものである。
【００４５】
容器の高さ対容器の奥行きの比は、約０．３対１〜約１０対１であることが好ましく、約２対１〜約８対１であることがさらに好ましく、約３対１〜５対１であることが最も好ましい。
【００４６】
容器の幅対容器の奥行きの比は、約０．３対１〜約１０対１であることが好ましく、約２対１〜約８対１であることがさらに好ましく、約２対１〜３対１であることが最も好ましい。
【００４７】
喫煙物品の束を収容するだけでなく、容器はさらに、例えば、マッチ、ライター、消火手段、口臭フレッシュまたは電子装置などのその他の消費財を含みうる。その他の消費財は、容器の外側に取り付けるか、容器内に喫煙物品に沿って容器の別の区画内に含めるか、またはその組み合わせとしうる。
【００４８】
本発明による容器の外部表面は、製造元またはブランドのロゴ、商標、スローガンおよびその他の消費者情報およびしるしで、印刷、エンボス加工、デボス加工またはその他の方法で装飾しうる。
【００４９】
本発明はまた、上述した実施形態のいずれかによる容器を製造する方法にも及ぶ。従って、本発明は消費財用の容器を製造する方法を提供し、その方法は消費財を受けるための内側束を提供する第１の工程を含み、内側束は内側束開口部を含む。シート材料から形成されたラベルも提供され、ラベルは内側束に貼り付けられる。次に、ラベルは、ラベルが内側束開口部を覆うカバーパネルおよびラベルフラップを含むように畳まれるが、ここでラベルフラップはカバーパネルから折り目を介して垂れ下がり、またラベルフラップはカバーパネルの少なくとも部分の上にある。ラベルカバーパネルの端は内側束開口部の端を越えて延びてラベルカバーパネルの端部分を画定し、またラベルカバーパネルの端部分にある非永久接着剤は、ラベルが閉位置で保持されるように端部分を内側束に剥がせるように固定する。次に、シート材料は内側束の周りに畳まれて、その内部に内側束が配置されるハウジングを形成するが、ハウジングは前部ハウジング壁、後部ハウジング壁、２つの側面ハウジング壁、底面ハウジング壁およびハウジング開口部を含み、また前部ハウジング壁はラベル折り目の上にあり、また内側束はラベル折り目の下にある。
【００５０】
一部の実施形態で、シート材料を内側束の周りに折り畳む工程は、折り目の遠位にあるラベルフラップの遠位端がハウジング開口部の下にあるように、前部ハウジング壁の上縁端を越えて延びるラベルフラップの一部分を画定する。前部ハウジング壁上縁端とラベルフラップ遠位端との間のラベルフラップ部分の長さは、約２ミリメートル〜約３０ミリメートルであることが好ましく、約５ミリメートル〜約１５ミリメートルであることがより好ましい。
【００５１】
シート材料を内側束の周りに折り畳んでハウジングを形成する工程は、第１のシート材料を内側束の周りに折り畳んで、少なくとも第１の前方パネルおよび２つの第１の側面パネルを形成する第１の工程を含みうる。第２の工程では、第２のシート材料が第１のシート材料および内側束の周りに折り畳まれて第２の前方パネル、２つの第２の側面パネル、底部パネルおよび後部パネルを形成する。第１の前方パネルおよび第２の前方パネルはそれぞれ前部ハウジング壁の部分を形成し、第１および第２の前方パネルのうち少なくとも１つはラベル折り目の上にある。
【００５２】
容器がヒンジリッド型容器である実施形態では、上述の通り、第１の折り畳まれたシート材料が内側フレームを形成してもよく、また第２の折り畳まれたシート材料がボックス部分とリッド部分を形成してもよい。
【００５３】
ラベルフラップが容器の他の部分に付着するのを防止するために、ラベルフラップは非粘着性であることが好ましい。すなわち、ラベルフラップには非永久接着剤などの粘着性接着剤が使用されないことが好ましい。
【００５４】
内側束を提供する工程は、１つ以上の消費財が内側束内に含まれるように、シート材料を１つ以上の消費財の周りに折り畳んで内側束を形成する工程を含むことが好ましい。１つ以上の消費財は複数の紙巻たばこなど、複数の喫煙物品でもよい。
【００５５】
ここで、以下の図面を参照しながら本発明をさらに説明するが、これは例証としてのみである。
【図面の簡単な説明】
【００５６】
【図１】本発明による容器を形成するための模範的プロセスの中間工程を示す。
【図２】本発明による容器を形成するための模範的プロセスの中間工程を示す。
【図３】本発明による容器を形成するための模範的プロセスの中間工程を示す。
【図４】本発明による容器を形成するための模範的プロセスの中間工程を示す。
【図５】本発明による容器を示す。
【発明を実施するための形態】
【００５７】
図１は、本発明による方法の第１の工程で、金属化ポリエチレンフィルムのシートを紙巻たばこの周りに折り畳むことにより形成された内側束１０を示す。内側束１０は、前部壁１２、２つの側面壁１４、後部壁、上部壁１６および底面壁を含む。紙を折り畳んで内側束１０を形成する前に、穿孔線１８が金属化紙に形成される。穿孔線１８は、前部壁１２内の内側束開口部を覆う内側束カバーパネル２０、および内側束１０の上部壁１６を画定する。
【００５８】
図２に示す第２の工程において、ラベル３０は内側束カバーパネル２０の上の内側束１０に貼り付けられる。ラベル３０は、ラベル３０の下側にある永久接着剤３２の領域を含む。永久接着剤３２は、ラベル３０を内側束カバーパネル２０に永久的に結合する。永久接着剤３２は、ラベル３０が内側束１０の別の任意の部分に永久的に結合しないように、内側束カバーパネル２０の一部分のみの上にある。明瞭にするため、永久接着剤３２の領域はその後の図では図示されていない。
【００５９】
ラベル３０はさらに、永久接着剤３２の領域を囲む非永久接着剤３４の領域を含む。非永久接着剤３４は、ラベル３０の下側に提供され、内側束カバーパネル２０を囲む内側束１０の領域の上にある。従って、消費者がその後、ラベル３０を持ち上げて穿孔線１８を破損して、内側束カバーパネル２０を持ち上げることによって内側束１０を開封するとき、非永久接着剤３４によって、内側束開口部を囲む内側束１０の領域にラベル３０を再び接着することができ、それによって内側束１０を繰り返し開閉できる。
【００６０】
ラベル３０はまた、接着剤のついていない非粘着性領域３６を含む。
【００６１】
第３の工程では、図３に示す通り、非粘着性領域３６の一部分は折り目３８について外側方向に約１８０度の角度まで折り畳まれ、ラベル３０の残りの部分の上にあるラベルフラップ４０を画定する。ラベル３０の残りの部分は、内側束カバーパネル２０の上にあるラベルカバーパネル４２を形成する。
【００６２】
次に、第１の厚紙の層状のブランク５０は、図４に示す通り、内側束１０の前部壁１２および側面壁１４の周りに折り畳まれ、内側フレーム５２を形成する。内側フレーム５２は、内側束カバーパネル２０の上にある切り抜き５６を有する前方パネル５４を含む。内側フレーム前方パネル５４は、ラベルフラップ４０がラベルカバーパネル４２に対して実質的に平面の位置に保持されるようにラベル折り目３８の上にあり、それによって、その後の製造工程中のラベルフラップ４０の損傷のリスクが低減される。内側フレームの切り抜き５６は、ラベルフラップ４０の部分の上にあり、これが消費者が簡単に掴んで内側束１０を開封できるラベルフラップ４０の遠位部分４１を形成する。
【００６３】
最後に、図５に示す通り、第２の厚紙の層状のブランク６０は、内側フレーム５２および内側束１０の周りに折り畳まれ、ボックス部分６２およびリッド部分６４を形成する。内側フレーム５２、ボックス部分６２およびリッド部分６４は共に、前部ハウジング壁６６、後部ハウジング壁、２つの側面ハウジング壁６７、底面ハウジング壁および上面ハウジング壁６８を含むハウジングを画定する。ハウジング開口部は、ハウジング後方壁、ならびに内側フレーム前方パネル５４および内側フレーム側面パネル５５の上縁端によって区切られる。
【００６４】
内側束１０およびハウジングは共に、本発明による容器７０を形成する。
【図１】
0006513081.tif 000002
【図２】
0006513081.tif 000003
【図３】
0006513081.tif 000004
【図４】
0006513081.tif 000005
【図５】
0006513081.tif 000006